(57)【特許請求の範囲】
【請求項１】
剥離紙上に粘着層を介して下紙が積層され、該下紙上に接着層を介してプリント可能な表面を有する上紙が積層されているラベル伝票であって、ラベル伝票の切り離し部分に沿って上紙と接着層の間に帯状剥離層が設けられ、上紙には、切り離し部分に沿って帯状剥離層の領域内に対応する位置にハーフカット又はミシン目が刻設され、剥離紙及び下紙には、前記ハーフカット又はミシン目と平行に帯状剥離層の領域内に対応する位置に前記ハーフカット又はミシン目から間隔をおいてミシン目が刻設されていることを特徴とするラベル伝票。
【請求項２】
剥離紙上に粘着層を介して下紙が積層され、該下紙上に接着層を介してプリント可能な表面を有する上紙が積層されているラベル伝票であって、ラベル伝票の切り離し部分に沿って下紙と接着層の間に帯状剥離層が設けられ、上紙には、切り離し部分に沿って帯状剥離層の領域内に対応する位置にハーフカット又はミシン目が刻設され、剥離紙及び下紙には、前記ハーフカット又はミシン目と平行に帯状剥離層の領域内に対応する位置に前記ハーフカット又はミシン目から間隔をおいてミシン目が刻設されていることを特徴とするラベル伝票。
【請求項３】
剥離紙上に粘着層を介して下紙が積層され、該下紙上に接着層を介してプリント可能な表面を有する上紙が積層されているラベル伝票であって、前記接着層はラベル伝票の切り離し部分に沿った帯状無接着領域を除いて形成されており、上紙には切り離し部分に沿って前記帯状無接着領域内に対応する位置にハーフカット又はミシン目が刻設され、剥離紙及び下紙には、前記ハーフカット又はミシン目と平行に前記帯状無接着領域内に対応する位置に前記ハーフカット又はミシン目から間隔をおいてミシン目が刻設されていることを特徴とするラベル伝票。
【請求項４】
前記間隔が０．１mm〜５mm程度であることを特徴とする請求項１、２、３の何れか一項に記載のラベル伝票。
【発明の詳細な説明】
【０００１】
【発明の属する技術分野】
本発明は運送・物流業界における配送伝票を用途とし、各プリンターにて印字後、ラベルを切り離したり、部分的に剥したりして使用するラベルで、ミシンやハーフカット加工により切り離し可能であり且つプリンター適性が良いラベル伝票に関する。
【０００２】
【従来の技術】
従来、複数の契約顧客宛に数多くの配送物を送る通信販売業者などのように数多くの配送物を発送する業者や宅配業者が取り扱う配送伝票については、配送伝票を構成している帳票の枚数を削減し、配送情報の記載が一平面上への一回の印字出力で行う、所謂ワン・パート伝票が使用されている。
【０００３】
このラベル伝票には配送用箱に貼着する配達票及び貼付票を含む部分と配送用箱内に入れる納品書となる部分に分離するためのミシン目が刻設されているものがある。図９は従来のラベル伝票にミシン目が刻設された状態を示し、剥離紙１の上に粘着層２、下紙３、接着層４及び上紙５を積層したものに上から下まで一括ミシン６が刻設されている。
【０００４】
【発明が解決しようとする課題】
しかしながら一括ミシン６が刻設されているため、切り離し部分から伝票が折れてしまい、プリント中にプリンタジャムを引き起こすことがある。この中折れを防止するためにミシンのカット部を小さくすると切り離す際に切れにくくなってしまう。
【０００５】
本発明の目的は中折れを防止した、しかも切り離し易さは良好であるプリンターにより印字可能なラベル伝票を提供することである。
【０００６】
【課題を解決するための手段】
請求項１に記載の発明は上記の発明の目的を達成するもので、剥離紙上に粘着層を介して下紙が積層され、該下紙上に接着層を介してプリント可能な表面を有する上紙が積層されているラベル伝票であって、ラベル伝票の切り離し部分に沿って上紙と接着層の間に帯状剥離層が設けられ、上紙には、切り離し部分に沿って帯状剥離層の領域内に対応する位置にハーフカット又はミシン目が刻設され、剥離紙及び下紙には、前記ハーフカット又はミシン目と平行に帯状剥離層の領域内に対応する位置に前記ハーフカット又はミシン目から間隔をおいてミシン目が刻設されていることを特徴とする。
【０００７】
請求項２に記載の発明は上記の発明の目的を達成するもので、剥離紙上に粘着層を介して下紙が積層され、該下紙上に接着層を介してプリント可能な表面を有する上紙が積層されているラベル伝票であって、ラベル伝票の切り離し部分に沿って下紙と接着層の間に帯状剥離層が設けられ、上紙には、切り離し部分に沿って帯状剥離層の領域内に対応する位置にハーフカット又はミシン目が刻設され、剥離紙及び下紙には、前記ハーフカット又はミシン目と平行に帯状剥離層の領域内に対応する位置に前記ハーフカット又はミシン目から間隔をおいてミシン目が刻設されていることを特徴とする。
【０００８】
また請求項３に記載の発明は上記の発明の目的を達成するもので、剥離紙上に粘着層を介して下紙が積層され、該下紙上に接着層を介してプリント可能な表面を有する上紙が積層されているラベル伝票であって、前記接着層はラベル伝票の切り離し部分に沿った帯状無接着領域を除いて形成されており、上紙には切り離し部分に沿って前記帯状無接着領域内に対応する位置にハーフカット又はミシン目が刻設され、剥離紙及び下紙には、前記ハーフカット又はミシン目と平行に前記帯状無接着領域内に対応する位置に前記ハーフカット又はミシン目から間隔をおいてミシン目が刻設されていることを特徴とする。
【０００９】
請求項１、請求項２、または請求項３に記載の発明において上紙のハーフカット又はミシン目と下紙のミシン目の間の間隔は０．１mm〜５mm程度とするのが望ましい。
【００１０】
本発明のラベル伝票において切り離し部分は上紙のハーフカット又はミシン目に沿って切り離され、次いで上紙のハーフカット又はミシン目と下層のミシン目との間の剥離層と接着層が破断され、更に剥離紙及び下紙に刻設したミシン目に沿って切り離されるので切り離しを容易に行うことができる。
【００１１】
また、上紙のハーフカット又はミシン目と下紙のミシン目が上下で位置ずれしているので中折れが起こることが防止され、プリント中にプリンタージャムが引き起こされることはない。
【００１２】
【発明の実施の形態】
次に図面を参照して本発明について詳細に説明する。
図１及び図２は本発明のラベル伝票の第１の実施態様を示し、図１はラベル伝票の平面図を示す。また図２（ａ）は図１のＡ−Ａ線で切断した断面図であり、図２（ｂ）は図１のＢ−Ｂ線で切断した部分断面図である。
【００１３】
本発明のラベル伝票は剥離紙１を備える。剥離紙１の上にはアクリルエマルジョン等の粘着層２を介して上質紙、タック紙等の下紙３が積層され、更にその上にアクリル系接着剤、ウレタン系接着剤等の接着層４を介して上質紙、インクジェット用紙、サーマル紙等のプリント可能な表面を有する上紙５が積層されている。配達票１１、配送会社連絡票１２，１３に対応する領域の接着層４と上紙５の間には局部的にシリコン含有剥離剤或いはシリコンを含有しない剥離剤からなる剥離層１４が設けられている。配達票１１と配送会社連絡票の間には上紙５から接着層４にかけてハーフカット１６、１７が刻設されており、配達票１１、配送会社連絡票１２，１３のそれぞれを剥がすことができるように構成されている。また配達票１１の下側には貼付票１５が上紙５から接着層４にかけて刻設されたハーフカット１８を介して連接している。尚、３１は貼付票１５、配達票１１、配送会社連絡票１２、１３の右端に刻設されたハーフカット、３２は貼付票の下端に刻設されたハーフカットを示す。
【００１４】
前記した貼付票１５，配達票１１、配送会社連絡票１２，１３は剥離紙１を剥離して粘着層２を露出され、配布用箱に貼着される領域である。この領域の右側には切り離し部２０を介して納品書１９が連接しており、切り離し部２０から納品書１９を前記配布物に貼着する領域から切り離すことができるように構成されている。
【００１５】
切り離し部２０は、切り離し部２０に沿って上紙５と接着層４の間に帯状剥離層２１（この剥離層は図１において一点鎖線２５ａ、２５ｂで示す帯状領域に設けられている）を含む。また、上紙５には、切り離し部２０に沿って帯状剥離層２１の領域内に対応する位置にハーフカット又はミシン目２２が刻設され、剥離紙１及び下紙３には、前記ハーフカット又はミシン目２２と平行に帯状剥離層２１の領域内に対応する位置に前記ハーフカット又はミシン目２２から約１mm程度の間隔をおいてミシン目２３が刻設されている。尚、ハーフカット又はミシン目２２は必ずしも帯状剥離剤層２１にまで刻設されなくてもよい。
また、ハーフカット又はミシン目２２と、ミシン目２３との間隔は０．１mm〜５mmがよく、好ましくは０．５mm〜２mmである。０．１mmより狭いとプリンターによる印字時に中折れしやすく、また５mmよりも広くなると切り離ししにくくなるので好ましくない。
【００１６】
上記したラベル伝票にはプリンターにより所要事項、配送物の届け先、配送の依頼者の氏名、発送元、配送物の品名その他が印字され、また納品書の領域には所要事項が印字される。そのとき上紙に刻接されたハーフカット又はミシン目２２と下紙に刻接されたミシン目２３は上下が重なっていず位置ずれしているので中折れがおきにくくプリンタージャムが起こることはない。
【００１７】
印字を終えた後切り離し部２０から納品書１９が切り離され配送物と共に配送用箱内に収容される。図３は納品書１９が切り離される状況をラベル伝票の裏側から示したものである。切り離し時には先ずハーフカット又はミシン目２２に沿って納品書側の紙部分が引き起こされ、同時に剥離層２１に沿った剥離と接着層４の破断が起こり、次いでミシン目２３に沿って引き裂かれる。
【００１８】
一方配送会社連絡票１２，１３，配達票１１、貼付票１５の部分は剥離紙１から剥離され配送用箱に貼付される。配達票は配送作業者により剥ぎ取られ、届け先から受領印をもらった後に配送会社に提出される。
【００１９】
図４及び図５は本発明のラベル伝票の第２の実施態様を示し、図４はラベル伝票の平面図を示す。また図５（ａ）は図４のＡ−Ａ線で切断した断面図であり、図５（ｂ）は図４のＢ−Ｂ線で切断した部分断面図である。
【００２０】
この第２の実施態様のラベル伝票は第１の実施態様と同様に剥離紙１を備える。また同様に、剥離紙１の上には粘着層２を介して下紙３が積層され、更にその上に接着層４を介してプリント可能な表面を有する上紙５が積層されている。配達票１１、配送会社連絡票１２，１３に対応する領域の接着層４と上紙５の間には局部的に剥離層１４が設けられている。配達票１１と配送会社連絡票の間には上紙５から接着層４にかけてハーフカット１６、１７が刻設されており、配達票１１、配送会社連絡票１２，１３のそれぞれを剥がすことができるように構成されている。また配達票１１の下側には貼付票１５が上紙５から接着層４にかけて刻設されたハーフカット１８を介して連接している。尚、３１は貼付票１５、配達票１１、配送会社連絡票１２、１３の右端に刻設されたハーフカット、３２は貼付票の下端に刻設されたハーフカットを示す。
【００２１】
また同様に、貼付票１５，配達票１１、配送会社連絡票１２，１３の右側には切り離し部２０を介して納品書１９が連接しており、切り離し部２０から納品書１９を前記配布物に貼着する領域から切り離すことができるように構成されている。
【００２２】
切り離し部２０は、切り離し部２０に沿って下紙３と接着層４の間に帯状剥離層２１（この剥離層は図４において一点鎖線２５ａ、２５ｂで示す帯状領域に設けられている）を含む。また、上紙５には、切り離し部２０に沿って帯状剥離層２１の領域内に対応する位置にハーフカット又はミシン目２２が刻設され、剥離紙１及び下紙３には、前記ハーフカット又はミシン目２２と平行に帯状剥離層２１の領域内に対応する位置に前記ハーフカット又はミシン目２２から約１mm程度の間隔をおいてミシン目２３が刻設されている。尚、ハーフカット又はミシン目２２は必ずしも帯状剥離剤層２１にまで刻設されなくてもよい。
また、ハーフカット又はミシン目２２と、ミシン目２３との間隔は０．１mm〜５mmがよく、好ましくは０．５mm〜２mmである。０．１mmより狭いとプリンターによる印字時に中折れしやすく、また５mmよりも広くなると切り離ししにくくなるので好ましくない。
【００２３】
図６は切り離し部の更に別の態様を示す。この切り離し部においては剥離層の代わりに接着層のない帯状無接着領域２７が設けられている。上紙５には切り離し部に沿って前記帯状無接着領域２７内に対応する位置にハーフカット又はミシン目２２が刻設され、剥離紙１及び下紙３には、前記ハーフカット又はミシン目２２と平行に前記帯状無接着領域２７内に対応する位置に前記ハーフカット又はミシン目２２から約１mm等の間隔をおいてミシン目２３が刻設されている。この切り離し部に関しては、切り離し時には先ずハーフカット又はミシン目２２に沿って納品書側の紙部分が引き起こされ、次いでミシン目２３に沿って引き裂かれる。
【００２４】
図７は図１、図２に示す第１の実施態様のラベル伝票及び図４、図５に示す第２の実施態様とは異なる態様のラベル伝票を示す。この実施態様においては配達票１１と貼付票１５がハーフカット２８を介して横に連接し、この配達票１１と貼付票１５の組が切り離し部２０を介して縦に連接している。また配達票の領域には上紙と接着層の間に剥離層が設けられ、配達票を剥離できるように構成されている。尚、３３は配達票の左端に刻設されたハーフカットを示す。
【００２５】
図８は更に異なる態様のラベル伝票を示す。この実施態様においては配達票１１と貼付票１５がハーフカット２８を介して横に連接し、この配達票１１と貼付票１５の組の上側には売上票２９が切り離し部２０を介して連接し、下側には納品書１９が切り離し部２０を介して連接している。また配達票の領域には上紙と接着層の間に剥離層が設けられ、配達票を剥離できるように構成されている。尚、３４は配達票の左端に刻設されたハーフカットを示す。
【００２６】
更に本発明のラベル伝票は配達伝票以外に商品ラベル等カット紙プリンタ用ラベル全体に応用することができる。
【００２７】
【発明の効果】
以上詳細に説明したように本発明のラベル伝票はラベル伝票の切り離し部分に沿って上紙と接着層の間または下紙と接着層の間に帯状剥離層が設けられ、上紙には、切り離し部分に沿って帯状剥離層の領域内に対応する位置にハーフカット又はミシン目が刻設され、下紙には、前記ハーフカット又はミシン目と平行に帯状剥離層の領域内に対応する位置に前記ハーフカット又はミシン目から間隔をおいてミシン目が刻設されているので、中折れが起こりにくくプリント中にプリンタジャムを引き起こすことはない。
【００２８】
また前記切り離し部分に沿って設けた前記帯状剥離層に変えて帯状無接着領域を設け、上紙には、切り離し部分に沿って帯状剥離層の領域内に対応する位置にハーフカット又はミシン目を刻設し、下紙には、前記ハーフカット又はミシン目と平行に帯状剥離層の領域内に対応する位置に前記ハーフカット又はミシン目から間隔をおいてミシン目が刻設することによっても、中折れが起こりにくくプリント中にプリンタジャムを引き起こすことはないラベル帳票を提供することができる。
【００２９】
また従来のように切り離しミシンのカット部の長さを選定する際にその長さ切り離しやすさと折れにくさという相反する条件を満たすような狭い範囲で選ばなければならない必要性がなくなる。
【図面の簡単な説明】
【図１】本発明のラベル伝票の第１の実施態様の平面図である。
【図２】本発明のラベル伝票の第１の実施態様を示し、（ａ）は図１のＡ−Ａ線で切断した断面図、（ｂ）は図１のＢ−Ｂ線で切断した部分断面図である。
【図３】図１及び図２に示すラベル伝票を切り離し部に沿って切り離す状態を裏側から示す説明図である。
【図４】本発明のラベル伝票の第２の実施態様の平面図である。
【図５】本発明のラベル伝票の第２の実施態様を示し、（ａ）は図４のＡ−Ａ線で切断した断面図、（ｂ）は図４のＢ−Ｂ線で切断した部分断面図である。
【図６】図２及び図５に示す切り離し部とは別の切り離し部を示す断面図である。
【図７】本発明のラベル伝票の第３の実施態様の平面図である。
【図８】本発明のラベル伝票の第４の実施態様の平面図である。
【図９】従来のラベル伝票の切り離し部を示す断面図である。
【符号の説明】
１    剥離紙
２    粘着層
３    下紙
４    接着層
５    上紙
２０  切り離し部
２１    帯状剥離層
２２    ハーフカット又はミシン目
２３    ミシン目
２５ａ、２５ｂ    剥離層２１の縁線を示す線
２７    帯状無接着部
１１    配達票
１２、１３    配送会社連絡票
１４    剥離層
１５    貼付票
１６、１７、１８    ハーフカット
１９    納品書
【図１】
0004488399.tif 000002
【図２】
0004488399.tif 000003
【図３】
0004488399.tif 000004
【図４】
0004488399.tif 000005
【図５】
0004488399.tif 000006
【図６】
0004488399.tif 000007
【図７】
0004488399.tif 000008
【図８】
0004488399.tif 000009
【図９】
0004488399.tif 000010